(57)【特許請求の範囲】
【請求項１】
前方に光信号を出射する複数のレーザダイオードが隣接配置され、前記各光信号のパワーが制御される光送信器において、
前記各レーザダイオードの後方から出射される光信号の光パワーを検出する複数の受光素子と、
前記複数のレーザダイオードに、時分割でそれぞれ前記レーザダイオードの駆動信号の周波数と異なる所定周波数に振幅変調されたバイアス電流を供給するＬＤ駆動部と、
前記各受光素子の検出信号を、検出すべき対象の該レーザダイオードから受光する対象光信号成分と他のレーザダイオードから受光する漏話光信号成分とにそれぞれ分離する解析部と、
前記解析部が出力する前記対象光信号成分と、前記漏話光信号成分とを前記時分割のタイミングに同期した異なるタイミングで取り込み、前記対象光信号成分に対する前記漏話光信号成分の割合を、前記検出信号ごとに演算し、
前記割合に基づいて、前記検出信号から前記漏話光信号成分を除去する演算を行う制御部と、
を備えたことを特徴とする光送信器。
【請求項２】
前記ＬＤ駆動部は、前記バイアス電流を単一周波数で振幅変調し、
前記解析部は、複数の前記受光素子の検出信号の中から所定の検出信号を選択して入力するスイッチと、入力される前記検出信号からＤＣ成分を除き、ＡＣ成分を抽出するフィルタを有し、
前記制御部は、
前記ＬＤ駆動部を介して複数の前記レーザダイオードに対し、前記振幅変調した前記バイアス電流を時分割に供給させ、
前記バイアス電流を供給する時分割のタイミングに同期して、前記スイッチを切り替え、
前記解析部を通過した複数の前記検出信号を時分割に取り込み、前記演算を行うこと、
を特徴とする請求項１に記載の光送信器。
【請求項３】
前記制御部は、
前記解析部の前記フィルタを通過した経路の前記検出信号と、前記フィルタを通過しない経路の前記検出信号とに基づき、前記対象光信号成分に対する前記漏話光信号成分の割合を演算すること、
を特徴とする請求項２に記載の光送信器。
【請求項４】
前記制御部は、
前記解析部の前記フィルタを通過した経路の前記検出信号と、前記フィルタを通過しない経路の前記検出信号と、に対しそれぞれ二乗平均値を演算した後、前記対象光信号成分に対する前記漏話光信号成分の割合を演算すること、
を特徴とする請求項２記載の光送信器。
【請求項５】
前方に光信号を出射する複数のレーザダイオードが隣接配置され、前記各レーザダイオードの後方から出射される光パワーを複数の受光素子でそれぞれ検出し、前記検出された結果に基づいて前記光信号のパワーを制御する光送信器の制御方法において、
前記各レーザダイオードに、時分割でそれぞれ前記レーザダイオードの駆動信号の周波数と異なる所定周波数に振幅変調されたバイアス電流を供給し、
前記各受光素子の検出信号を、検出すべき対象の該レーザダイオードから受光する対象光信号成分と他のレーザダイオードから受光する漏話光信号成分とにそれぞれ分離し、
前記対象光信号成分と、前記漏話光信号成分とを前記時分割のタイミングに同期した異なるタイミングで取り込み、前記検出信号の前記対象光信号成分に対する前記漏話光信号成分の割合を、前記検出信号ごとに演算し、
前記割合に基づいて、前記検出信号から前記漏話光信号成分を除去する演算を行う、
ことを特徴とする制御方法。
【発明の詳細な説明】
【技術分野】
【０００１】
本発明は、光信号を送信する光送信器および制御方法に関する。
【背景技術】
【０００２】
光モジュールは、光信号を送信する光送信器と、光信号を受信する光受信器のうち、一方あるいは双方を組み合わせてなる。光送信器には、ＴＯＳＡ（Ｔｒａｎｓｍｉｔｔｅｒ  Ｏｐｔｉｃａｌ  ＳｕｂＡｓｓｅｍｂｌｙ: 光送信用サブアセンブリ）が搭載されている。
【０００３】
従来、ＸＦＰやＳＦＰ＋などの１０ギガ光モジュールのＴＯＳＡは、前方から光信号を出射する１個のレーザダイオード（ＬＤ）と、ＬＤが出射する後方の光信号の光パワーをモニタする１個の受光素子（ＰＤ）とを有する。制御部は、ＰＤが検出した光信号に基づき、ＬＤが出射する光信号の光パワーのモニタや、光パワーの一定制御（ＡＰＣ：Ａｕｔｏ  Ｐｏｗｅｒ  Ｃｏｎｔｒｏｌ）を行う。
【０００４】
近年のＣＦＰやＱＳＦＰ２８などの１００ギガ光モジュールのＴＯＳＡは、例えば、筐体の内部に２５Ｇｂｐｓで動作するＬＤが隣接して４個配置されており、各ＬＤ用のＰＤも隣接して４個配置されている。この構造では、ＰＤ１は、ＬＤ１の後方から出射する光を受光するだけではなく、隣接する他のＬＤ２、ＬＤ３、ＬＤ４の後方の光の一部も受光し、いわゆる光の漏話が発生する。ＰＤ２〜ＰＤ４についても他のＬＤからの光の漏話が発生する。
【０００５】
各ＰＤで受光される漏話量は、漏話源となるＬＤ後端部までの距離や、漏話源の光パワーによって異なり、ＬＤ駆動時の温度環境などでも変化する。そして、ＬＤの光パワーモニタやＡＰＣ制御で漏話量が誤差となり、光パワーモニタやＡＰＣ制御を正しく行えない問題を生じさせる。
【０００６】
このような漏話の影響を抑えるために、例えば、ＰＤの前方に他のＬＤからの光を遮蔽する仕切りや開口を設置して漏話成分となる光を物理的に遮蔽したり、ＬＤとＰＤの間にレンズを設置し光を集光したり、波長フィルタを設置する構造が考えられる。また、ＬＤ同士の位置を互いに離すなど、配置を工夫する構造が考えられる。
【０００７】
また、従来、ＬＤと後部光を検出するＰＤを複数チャンネル分備え、各チャンネルのＬＤ出力にチャンネルレベリングまたはタギング情報としての低周波トーン変調を行う多重チャンネル送信機光集積回路が開示されている（例えば、下記特許文献１参照。）。
【先行技術文献】
【特許文献】
【０００８】
【特許文献１】特表２００９−５００８３３号公報
【発明の概要】
【発明が解決しようとする課題】
【０００９】
しかしながら、漏話の光を物理的に遮蔽する構造等では、仕切りや開口等の部材を設ける必要があり、ＴＯＳＡのサイズを小型化できないとともに、製造コストが高くなった。また、低周波トーン変調を用いた技術では、信号チャンネルの出力等化等を行う際に漏話成分を抽出できず、チャンネル間の漏話による光パワーモニタやＡＰＣ制御への影響を解消できない。
【００１０】
一つの側面では、本発明は、隣接する他のレーザダイオードからの光の漏話の影響を除去して光出力を制御できることを目的とする。
【課題を解決するための手段】
【００１１】
一つの案では、光送信器は、前方に光信号を出射する複数のレーザダイオードが隣接配置され、前記各光信号のパワーが制御される光送信器において、前記各レーザダイオードの後方から出射される光信号の光パワーを検出する複数の受光素子と、前記複数のレーザダイオードに、時分割でそれぞれ前記レーザダイオードの駆動信号の周波数と異なる所定周波数に振幅変調されたバイアス電流を供給するＬＤ駆動部と、前記各受光素子の検出信号を、検出すべき対象の該レーザダイオードから受光する対象光信号成分と他のレーザダイオードから受光する漏話光信号成分とにそれぞれ分離する解析部と、前記解析部が出力する前記対象光信号成分と、前記漏話光信号成分とを前記時分割のタイミングに同期した異なるタイミングで取り込み、前記対象光信号成分に対する前記漏話光信号成分の割合を、前記検出信号ごとに演算し、前記割合に基づいて、前記検出信号から前記漏話光信号成分を除去する演算を行う制御部と、を備えたことを要件とする。
【発明の効果】
【００１２】
一つの実施形態によれば、隣接する他のレーザダイオードからの光の漏話の影響を除去して光出力を制御できる。
【図面の簡単な説明】
【００１３】
【図１】図１は、実施の形態１にかかる光送信器を示すブロック図である。
【図２】図２は、実施の形態１にかかる光送信器のＬＤの漏話状態を説明するタイミングチャートである。
【図３】図３は、実施の形態１にかかる光送信器の周波数解析部の内部構成例を示す図である。
【図４】図４は、実施の形態１にかかる光送信器の周波数解析部内のスイッチ動作を説明する図である。
【図５】図５は、実施の形態１にかかる光送信器の周波数解析部内のスイッチ出力を示すタイミングチャートである。
【図６】図６は、実施の形態１にかかる光送信器の周波数解析部の出力信号を示す図である。
【図７】図７は、実施の形態１にかかる光送信器の演算部の内部構成例を示す図である。
【図８】図８は、実施の形態１にかかる光送信器の設定処理例を示すフローチャートである。
【図９】図９は、実施の形態１にかかる光送信器の設定処理に基づく各ＬＤの時間別の電流値の例を示す図表である。
【図１０】図１０は、実施の形態１にかかる光送信器の漏話成分の除去の処理例を示すフローチャートである。
【図１１】図１１は、実施の形態１にかかる光送信器の漏話成分除去の処理中の情報例を説明する図である。（その１）
【図１２】図１２は、実施の形態１にかかる光送信器の漏話成分除去の処理中の情報例を説明する図である。（その２）
【図１３】図１３は、実施の形態１にかかる光送信器の漏話成分除去の処理中の情報例を説明する図である。（その３）
【図１４】図１４は、実施の形態１にかかる光送信器の漏話成分除去の処理中の情報例を説明する図である。（その４）
【図１５】図１５は、実施の形態１にかかる光送信器の漏話成分除去の処理中の情報例を説明する図である。（その５）
【図１６】図１６は、実施の形態１にかかる光送信器の漏話成分除去の処理中の情報例を説明する図である。（その６）
【図１７】図１７は、実施の形態２にかかる光送信器の各ＰＤが受光する波形例を示す図である。
【図１８】図１８は、実施の形態２にかかる光送信器の周波数解析部の内部構成例を示す図である。
【図１９】図１９は、実施の形態２にかかる光送信器の周波数解析部のフィルタ周波数を示す図である。
【図２０】図２０は、実施の形態２にかかる光送信器の周波数解析部のフィルタ通過後の検出信号を示す図である。
【図２１】図２１は、実施の形態２にかかる光送信器の設定処理例を示すフローチャートである。
【図２２】図２２は、実施の形態２にかかる光送信器の設定処理に基づく各ＬＤのディザ信号の設定例を示す図表である。
【図２３】図２３は、実施の形態２にかかる光送信器の設定処理に基づく各ＬＤの電流値の例を示す図表である。
【図２４】図２４は、実施の形態２にかかる光送信器の漏話成分の除去の処理例を示すフローチャートである。
【図２５】図２５は、実施の形態２にかかる光送信器の漏話成分除去の処理中の情報例を説明する図である。
【発明を実施するための形態】
【００１４】
（実施の形態１）
図１は、実施の形態１にかかる光送信器を示すブロック図である。この光送信器１００は、例えば、１００ギガ光モジュールの光送信器である。光モジュールは、他に光受信器（不図示）を含んでもよい。光送信器１００は、ＴＯＳＡ１０１と、周波数解析部（解析部）１０２と、制御部１０３と、ＬＤ駆動部（ＬＤ−ＤＲＶ部）１０４と、を含む。
【００１５】
ＴＯＳＡ１０１は、複数系統（チャンネル）の複数の半導体レーザ（ＬＤ）１１１と、ＬＤ１１１の個数に対応した複数の受光素子（ＰＤ）１１２と、光合波器１１３と、を含む。図１の例では、４チャンネルのＬＤ１〜ＬＤ４（１１１）が並んで配置され、ＰＤ１〜ＰＤ４（１１２）もＬＤ１１１の配置に対応して並んで配置されている。
【００１６】
ＬＤ−ＤＲＶ部１０４は、ＬＤ１〜ＬＤ４（１１１）に対し、駆動するために必要な電流（バイアス電流）と、入力された送信信号の変調波をそれぞれ供給する。また、ＬＤ−ＤＲＶ部１０４は、バイアス電流をＬＤ１１１の駆動信号の周波数とは異なる所定の周波数ｆ［Ｈｚ］により、例えばｓｉｎ波で振幅変調したディザ信号をＬＤ１〜ＬＤ４（１１１）に供給する。
【００１７】
ディザ信号の周波数ｆは、駆動信号の周波数より低周波の周波数であり、他のチャンネルのＬＤからの漏話成分を抽出するために用いる。実施の形態１では、ディザ信号を時分割してＬＤ１〜ＬＤ４（１１１）に繰り返し出力する。
【００１８】
ＬＤ１〜ＬＤ４（１１１）は、光信号を前方から出射し、光合波器１１３で合波され、光ファイバ等の光伝送路に向けて光送信器１００外部に出力される。ＬＤ１〜ＬＤ４（１１１）がそれぞれ２５Ｇｂｐｓの伝送速度を有する光信号を出射する場合、光合波器１１３は、２５×４＝１００Ｇｂｐｓの伝送速度の光信号を光伝送路に出力する。
【００１９】
ＬＤ１〜ＬＤ４（１１１）の後方から出射される光信号のパワー（バックパワー）は、それぞれＰＤ１〜ＰＤ４（１１２）により検出され、この検出信号は、周波数解析部１０２に出力される。周波数解析部１０２は、検出信号を検出すべき対象のＬＤ１１１（例えばＬＤ１）から受光する対象光信号成分と、他のＬＤ１１１（例えばＬＤ２〜ＬＤ４）から受光する漏話光信号成分とにそれぞれ分離する。
【００２０】
制御部１０３は、ディザ信号を含むバイアス電流によりＬＤ−ＤＲＶ部１０４の駆動を制御する。そして、周波数解析部１０２の出力（情報）を基に、漏話成分（対象光信号成分に対する前記漏話光信号成分の割合）を求め、検出信号から漏話成分の影響を取り除いた値（真のモニタ値）を求める演算を行う。
【００２１】
そして、制御部１０３は、真のモニタ値に基づき、ＬＤ−ＤＲＶ部１０４を制御して、ＬＤ１〜ＬＤ４（１１１）の光パワーをモニタする。また、各ＬＤ１〜ＬＤ４（１１１）が出射する光パワー（例えば、隣接波長レベル）を一定化するＡＰＣ制御を実行する。ＡＰＣ制御は、ＬＤ−ＤＲＶ部１０４が出力するバイアス電流（ＤＣ成分）を可変させて行う。
【００２２】
図２は、実施の形態１にかかる光送信器のＬＤの漏話状態を説明するタイミングチャートである。図２（ａ）は、ディザ信号を加えた場合の各ＬＤ１〜ＬＤ４（１１１）の光出力−時間特性を示す。図２（ｂ）は、各ＰＤ１〜ＰＤ４（１１２）が検出する信号成分および漏話成分の光出力−時間特性を示す。
【００２３】
ＬＤ−ＤＲＶ部１０４は、周波数ｆ［Ｈｚ］のディザ信号Ｄを時間経過毎に（時分割して）ＬＤ１〜ＬＤ４（１１１）のいずれかに供給する。図２（ａ）に示す例では、ディザ信号は、時間ｔ０〜ｔ１の間ＬＤ１のみに供給し、時間ｔ１〜ｔ２はＬＤ２のみに供給し、時間ｔ２〜ｔ３はＬＤ３のみに供給し、時間ｔ３〜ｔ４はＬＤ４のみに供給する。以後、時間ｔ４〜ｔ５はＬＤ１のみに供給し、ＬＤ１〜ＬＤ４の順にいずれかに時分割で供給することを繰り返す。
【００２４】
この際、図２（ｂ）に示すように、各ＰＤ１〜ＰＤ４（１１２）は、各ＬＤ１〜ＬＤ４（１１１）が出力するディザ信号に相当する信号成分Ｓの他に、所定量の漏話成分Ｃを含み検出する。
【００２５】
ＰＤ１（１１２）の検出状態を例に説明すると、時間ｔ０〜ｔ１で検出する信号成分Ｓは、ＰＤ１（１１２）が本来受光すべきＬＤ１（１１１）のみのバックパワーである。ＰＤ１（１１２）は、漏話成分Ｃとして、例えば、時間ｔ１〜ｔ２の間はＬＤ２からのＡＣ漏話成分と、ＬＤ３とＬＤ４からのＤＣ漏話成分を受光する。
【００２６】
図３は、実施の形態１にかかる光送信器の周波数解析部の内部構成例を示す図である。図３に示すように、周波数解析部１０２は、複数のＰＤ１〜ＰＤ４（１１２）からの出力信号の経路を周期的に切り替えるスイッチ３０１を前段に配置する。また、後段には、スイッチ３０１を通過後の出力信号を、電気的なフィルタ３０２を通過しない経路（１）と、フィルタ３０２を通過する経路（２）とに分岐する。
【００２７】
フィルタ３０２は、通過する出力信号のうちＡＣ成分を抽出し、ＤＣ成分を取り除くフィルタ、例えば、バンドパスフィルタ、カップリングコンデンサ等を用いる。
【００２８】
図４は、実施の形態１にかかる光送信器の周波数解析部内のスイッチ動作を説明する図である。図３の周波数解析部１０２のスイッチ３０１の切り替えタイミングについて説明する。
【００２９】
スイッチ３０１は、（ａ）→（ｂ）→（ｃ）→（ｄ）→（ａ）→…の順に、周期Ｔ１〜Ｔ４毎にＰＤ１〜ＰＤ４（１１２）の入力側の経路を切り替えて出力し、Ｔ５でＴ１と同配置となる。このスイッチ３０１は、制御部１０３により制御される。そして、制御部１０３は内部で生成するクロック信号を切り替えタイミングに用い、ディザ信号の出力タイミングに同期してスイッチ３０１を切替制御する。
【００３０】
したがって、（ａ）の周期Ｔ１，Ｔ５，Ｔ９，…では、ＰＤ１（１１２）の出力信号を選択的に取り出し、（ｂ）の周期Ｔ２，Ｔ６，Ｔ１０，…ではＰＤ２（１１２）の出力信号を選択的に取り出す。同様に、（ｃ），（ｄ）の周期では、ＰＤ３，ＰＤ４（１１２）の出力信号を選択的に取り出す。
【００３１】
図５は、実施の形態１にかかる光送信器の周波数解析部内のスイッチ出力を示すタイミングチャートである。スイッチ３０１は、周期毎にＰＤ１〜ＰＤ４（１１２）の出力信号を切り替えて出力する。
【００３２】
最初の１周期（Ｔ１＝ｔ０〜ｔ４）ではＰＤ１（１１２）の出力信号を出力し、次の１周期（Ｔ２＝ｔ４〜ｔ８）ではＰＤ２（１１２）の出力信号を出力する。次の１周期（Ｔ３＝ｔ８〜ｔ１２）ではＰＤ３（１１２）の出力信号を出力し、次の１周期（Ｔ４＝ｔ１２〜ｔ１６）ではＰＤ４（１１２）の出力信号を出力する。時間ｔ１６以降はＰＤ１（１１２）の出力に戻る。
【００３３】
図５に示すように、スイッチ３０１の出力は、信号成分Ｓと漏話成分Ｃを含む。
【００３４】
以後、説明を簡略化するために、ある１周期Ｔ１（時間ｔ０〜ｔ４）におけるＰＤ１（１１２）の出力信号に注目して説明する。
【００３５】
図６は、実施の形態１にかかる光送信器の周波数解析部の出力信号を示す図である。図６（ａ）は周波数解析部１０２の経路（１）の出力信号を示す。周期Ｔ１（時間ｔ０〜ｔ４）の期間、周波数解析部１０２の経路（１）は、スイッチ３０１が選択したＰＤ１（１１２）の出力信号を出力し、図５同様に信号成分Ｓと漏話成分Ｃを含む。
【００３６】
図６（ｂ）は周波数解析部１０２の経路（２）の出力信号を示す。周期Ｔ１（時間ｔ０〜ｔ４）の期間、周波数解析部１０２の経路（２）では、スイッチ３０１が選択したＰＤ１（１１２）の出力信号は、フィルタ３０２を通過する。
【００３７】
フィルタ３０２は、周波数ｆ（Ｈｚ）のＡＣ成分を抽出し、ＤＣ成分を取り除くバンドパスフィルタを通過させる。上記のディザ信号を含むＤＣのバイアス成分を取り除き、ＡＣの信号成分Ｓおよび漏話成分Ｃを通過させる。これにより、図６（ｂ）に示すように、経路（２）からは、フィルタ３０２通過後のＰＤ１（１１２）のＡＣ成分（信号成分Ｓ）のみの出力信号が出力される。
【００３８】
そして、経路（２）は、周期Ｔ１（時間ｔ０〜ｔ４）の間は、漏話成分Ｃが除去されたＰＤ１（１１２）の信号成分Ｓ１を出力する。この後のＰＤ１（１１２）の出力信号として、時間ｔ１〜ｔ２の間はＬＤ２（１１１）からの漏話成分Ｃ２（ＡＣ成分）が出力される。同様に、時間ｔ２〜ｔ３の間はＬＤ３（１１１）からの漏話成分Ｃ３が、時間ｔ３〜ｔ４の間はＬＤ４（１１１）からの漏話成分Ｃ４が出力される。
【００３９】
図６（ａ）に示した経路（１）を通過した出力信号と、図６（ｂ）に示した経路（２）を通過した出力信号は、制御部１０３に入力される。
【００４０】
図７は、実施の形態１にかかる光送信器の演算部の内部構成例を示す図である。制御部１０３は、クロック生成部７０１、演算部７０２、メモリ部７０３、インターフェース部（ＩＯ部）７０４等を含み、これらはバス接続されている。
【００４１】
クロック生成部７０１は、所定周波数のクロックを生成し、演算部７０２の各部に動作タイミング用として供給する。また、スイッチ３０１は、このクロック生成部７０１が生成したクロックに基づき上記のタイミングで切り替え動作する。
【００４２】
演算部７０２は、例えばＣＰＵ等を用いてなり、上記漏話成分Ｃを除去した信号成分Ｓを求める演算を行う。そして、演算部７０２は、漏話成分Ｃを除去した信号成分Ｓを用いて、各ＬＤ１〜ＬＤ４の光パワーをモニタし、また、ＬＤ−ＤＲＶ部１０４を介してＬＤ１１１のＡＰＣ制御を行う。
【００４３】
メモリ部７０３は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有してなる。
【００４４】
例えば、フラッシュＲＯＭやＲＯＭが各種プログラムを記憶し、ＲＡＭがＣＰＵ７０２のワークエリアとして使用される。ＲＯＭに記憶されるプログラムは、ＣＰＵ７０２にロードされることで、コーディングされている処理をＣＰＵ７０２に実行させる。
【００４５】
ＩＯ部７０４は、制御部１０３に対する各種信号の入出力制御を行う。例えば、周波数解析部１０２からの入力信号をＡＤ変換するＡＤＣ、およびＬＤーＤＲＶ部１０４への出力信号をＤＡ変換するＤＡＣを含む。
【００４６】
上述した周波数解析部１０２が有するフィルタ３０２は、アナログフィルタ、またはデジタルフィルタのいずれでもよく、デジタルフィルタの場合には、フィルタ３０２を制御部１０３（例えばＣＰＵ）の一部機能とすることができる。
【００４７】
（漏話成分除去の動作処理例）
次に、実施の形態１の上記構成により信号成分Ｓから漏話成分Ｃを除去する動作処理例について説明する。制御部１０３が行う設定処理と漏話成分の除去処理についてそれぞれ説明する。
【００４８】
図８は、実施の形態１にかかる光送信器の設定処理例を示すフローチャートである。制御部１０３は、ＬＤ−ＤＲＶ部１０４の動作の初期値を設定する。
【００４９】
はじめに、制御部１０３は、ＬＤ１〜ＬＤ４（１１１）のバイアス電流値Ｉｂ１〜Ｉｂ４をそれぞれ設定する（ステップＳ８０１）。また、制御部１０３は、ディザ信号Ｉｄ（ｆ）を設定する（ステップＳ８０２）。ｆはディザ周波数［Ｈｚ］、Ｉｄはディザ振幅［ｍＡ］である。
【００５０】
また、制御部１０３は、ディザ信号Ｉｄを各ＬＤ１〜ＬＤ４（１１１）に切り替えるタイミング周波数を設定する（ステップＳ８０３）。例えば、タイミング周波数をＦｔ［Ｈｚ］とすると、上述した１周期Ｔ［ｓ］は、Ｔ＝１／Ｆｔである。
【００５１】
そして、制御部１０３は、上記ステップＳ８０１〜ステップＳ８０３の各設定値に基づき、ＬＤ−ＤＲＶ部１０４を制御する（ステップＳ８０４）。
【００５２】
図９は、実施の形態１にかかる光送信器の設定処理に基づく各ＬＤの時間別の電流値の例を示す図表である。図８のステップＳ８０４により制御部１０３がＬＤ−ＤＲＶ部１０４を制御する際のＬＤ１〜ＬＤ４（１１１）の時間別の電流値の例を示す。
【００５３】
例えば、時間ｔ０〜ｔ１の間においては、ＬＤ１に対してのみディザ信号を供給し、ＬＤ１の電流はＩｂ１＋Ｉｄ（ｆ）となる。この際、他のＬＤ２〜ＬＤ４の電流値はそれぞれＩｂ２，Ｉｂ３，Ｉｂ４である（図２（ｂ），図５参照）。この後、時間ｔ４〜ｔ５の間においては、再びＬＤ１に対してのみディザ信号を供給し、ＬＤ１に供給する電流はＩｂ１＋Ｉｄ（ｆ）となる。
【００５４】
また、時間ｔ１〜ｔ２の間においては、ＬＤ２に対してのみディザ信号を供給し、ＬＤ２の電流はＩｂ２＋Ｉｄ（ｆ）となる。この際、他のＬＤ１，ＬＤ３，ＬＤ４の電流値はそれぞれＩｂ１，Ｉｂ３，Ｉｂ４である（図２（ｂ）参照）。
【００５５】
制御部１０３は、図９の設定内容に基づき、各時間ｔ０〜ｔｎのタイミングでＬＤ−ＤＲＶ部１０４を介してＬＤ１〜ＬＤ４（１１１）を駆動する。この際、ＬＤ１〜ＬＤ４（１１１）は、それぞれのバイアス点が周波数ｆでゆらぐ（図２参照）。
【００５６】
図１０は、実施の形態１にかかる光送信器の漏話成分の除去の処理例を示すフローチャートである。制御部１０３は、図８に示す設定処理の実行後に、図１０に示す処理を実行する。
【００５７】
はじめに、制御部１０３は、経路（１）を通過後のＰＤ１〜ＰＤ４（１１２）の出力信号についてそれぞれ二乗平均値を計算する（ステップＳ１００１）。次に、制御部１０３は、経路（２）を通過後のＰＤ１〜ＰＤ４（１１２）の出力信号についてそれぞれ二乗平均値を計算する（ステップＳ１００２）。
【００５８】
この後、制御部１０３は、各ＰＤ１〜ＰＤ４（１１２）について、ステップＳ１００２で得た計算値を用いて信号成分Ｓに対する漏話成分Ｃの割合Ｒを演算する（ステップＳ１００３）。次に、制御部１０３は、ステップＳ１００１で得た計算値と、ステップＳ１００３で得た演算値とを用いて、漏話成分Ｃの影響を取り除いた信号成分Ｓ（真のモニタ値）を演算する（ステップＳ１００４）。
【００５９】
最後に、制御部１０３は、ステップＳ１００４で得た信号成分Ｓ（真のモニタ値）を用いて、各ＬＤ１〜ＬＤ４（１１１）の送信（ＴＸ）パワーモニタ、およびＡＰＣの制御を実行する（ステップＳ１００５）。
【００６０】
図１１〜図１６は、それぞれ実施の形態１にかかる光送信器の漏話成分除去の処理中の情報例を説明する図である。制御部１０３による計算値（演算値）を格納するメモリ部７０３の内容に相当する。
【００６１】
図１１は、図１０のステップＳ１００１により計算された経路（１）を通過後のＰＤ１〜ＰＤ４（１１２）の出力信号の二乗平均値である。ＰＤ１（１１２）出力として、周期Ｔ１（時間ｔ０〜ｔ４）の間の二乗平均値ＰＤ１がメモリ部７０３に格納される。ＰＤ２（１１２）出力として、周期Ｔ２（時間ｔ４〜ｔ８）の間の二乗平均値ＰＤ２がメモリ部７０３に格納される。ＰＤ３，ＰＤ４出力についても同様に対応する時間の二乗平均値ＰＤ３，ＰＤ４がメモリ部７０３に格納される。
【００６２】
図１２は、図１１で説明した経路（１）を通過後の出力信号の二乗平均値の例を示す図であり、時間ｔ０〜ｔ４の間で検出したＰＤ１の出力信号の大きさを示している。
【００６３】
図１３は、図１０のステップＳ１００２により計算された経路（２）を通過後のＰＤ１〜ＰＤ４（１１２）の出力信号の二乗平均値を示す図表である。ＰＤ１（１１２）出力として、周期Ｔ１の間の時間ｔ０〜ｔ４別の二乗平均値ＰＤ１がメモリ部７０３に格納される。時間ｔ０〜ｔ１の間は、ＰＤ１＿ＬＤ１、時間ｔ１〜ｔ２の間は、ＰＤ１＿ＬＤ２、時間ｔ２〜ｔ３の間は、ＰＤ１＿ＬＤ３、時間ｔ３〜ｔ４の間は、ＰＤ１＿ＬＤ４として格納される。
【００６４】
例えば、時間ｔ０〜ｔ１の間はＬＤ１（１１１）にディザ信号を加えるためＰＤ１＿ＬＤ１として示し、時間ｔ１〜ｔ２の間はＬＤ２（１１１）にディザ信号を加えるためＰＤ１＿ＬＤ２として示している。
【００６５】
図１４は、図１３で説明した経路（２）を通過後の出力信号の二乗平均値の例を示す図であり、時間ｔ０〜ｔ４の間で検出したＰＤ１＿ＬＤ１〜ＰＤ１＿ＬＤ４の出力信号の大きさを示している。
【００６６】
図１５は、図１０のステップＳ１００３で信号成分Ｓに対する漏話成分Ｃの割合Ｒを演算する演算式を示す図表である。Ｒ１は、ＰＤ１（１１２）で検出される信号成分Ｓに対する漏話成分Ｃの割合である。Ｒ１は、ステップＳ１００２で計算されたＰＤ２〜ＰＤ４（１１２）の出力信号の二乗平均値と、ＰＤ１（１１２）の出力信号の二乗平均値を用い、例えば、Ｒ１＝｛ＰＤ１＿ＬＤ２＋ＰＤ１＿ＬＤ３＋ＰＤ１＿ＬＤ４｝／ＰＤ１＿ＬＤ１の演算により求められる。
【００６７】
また、Ｒ２は、ＰＤ２（１１２）で検出される信号成分Ｓに対する漏話成分Ｃの割合である。Ｒ２は、ステップＳ１００２で計算されたＰＤ１，ＰＤ３，ＰＤ４（１１２）の出力信号の二乗平均値と、ＰＤ２（１１２）の出力信号の二乗平均値を用いる。例えば、Ｒ２＝｛ＰＤ２＿ＬＤ２＋ＰＤ２＿ＬＤ３＋ＰＤ２＿ＬＤ４｝／ＰＤ２＿ＬＤ１の演算により求められる。このほか、Ｒ３，Ｒ４は、それぞれＰＤ３，ＰＤ４（１１２）で検出される信号成分Ｓに対する漏話成分Ｃの割合である。
【００６８】
図１６は、図１０のステップＳ１００４で漏話成分Ｃの影響を取り除いた信号成分Ｓ（真のモニタ値）を演算する演算式を示す図表である。ＰＤ１とＲ１の積ＰＤ１×Ｒ１がＰＤ１（１１２）の出力信号のうち漏話成分Ｃを示す。このため、ＰＤ１×（１−Ｒ１）が漏話成分Ｃを除いたＬＤ１（１１１）のバックパワーモニタの値となる。
【００６９】
制御部１０３は、ＬＤ１（１１１）について、ＰＤ１（１１２）を用いて行う光出力（ＴＸ）パワーモニタや、ＬＤ１（１１１）のＡＰＣ制御を行う際に、このＰＤ１×（１−Ｒ１）の値を用いる。これにより、制御部１０３は、漏話の影響を受けない状態に相当する光出力パワーモニタ、およびＡＰＣ制御が行える。
【００７０】
なお、図１６に示すように、ＬＤ２については、ＰＤ２×（１−Ｒ２）の演算を行い、他のＬＤ３，ＬＤ４についても図１６に示す演算式を用いて演算を行う。これにより、制御部１０３は、各ＬＤ１〜ＬＤ４について、漏話の影響を受けない状態に相当する光出力パワーモニタ、およびＡＰＣ制御が行える。
【００７１】
以上説明した実施の形態１によれば、ＬＤの駆動信号の周波数とは異なるディザ信号を複数のＬＤに出力する。そして、ＬＤ出力を各ＰＤで検出し、信号成分から漏話成分を除去する。漏話成分を除去することで、漏話の影響を受けずに光出力パワーモニタ、およびＡＰＣ制御が行えるようになる。
【００７２】
実施の形態１では、ＰＤ出力を分岐させ一方の経路にフィルタを設けて、ＡＣ成分を抽出しＤＣ成分を除去し、漏話成分を抽出する。そして、各経路の出力信号を用いて漏話成分の割合を求めることで、信号成分から漏話成分を除去している。この際、各経路の出力信号の二乗平均値を演算することで時間的に変化する検出信号の漏話成分を抽出しやすくなる。
【００７３】
そして、実施の形態１では、単一周波数ｆのディザ信号を時分割して各ＬＤに出力し、ＬＤ出力に同期したスイッチ切り替えにより、時分割に漏話成分を演算処理する。これにより、ディザ信号の周波数別の変調信号を生成するＬＤ−ＤＲＶ部では一つの発振周波数（一つの発信器）とすればよく、周波数解析部に設けるフィルタも一つ設ければよい。また、演算部に設けるＡＤＣの数もＰＤの個数分だけでよく最小個数にでき、ハードウェア構成を簡単にできる。
【００７４】
（実施の形態２）
実施の形態２の光送信器１００は、実施の形態１と同じ全体構成（図１）であるが、ＬＤ１〜ＬＤ４（１１１）毎に異なる周波数のディザ信号を用いること、および周波数解析部１０２の内部構成と、制御部１０３の演算処理内容とが異なっている。
【００７５】
図１７は、実施の形態２にかかる光送信器の各ＰＤが受光する波形例を示す図である。図１７（ａ）はＰＤ１、（ｂ）はＰＤ２、（ｃ）はＰＤ３、（ｄ）はＰＤ４でそれぞれ検出されるＬＤのモニタ信号（検出信号）である。
【００７６】
制御部１０３は、各ＬＤ１〜ＬＤ４（１１１）に対し、ＬＤ１１１の駆動信号の周波数とは異なる信号周波数（ディザ信号）で振幅変調させる。例えば、ＬＤ１のバイアス電流がｆ１［Ｈｚ］で変調できるように制御部１０３は、ＬＤ−ＤＲＶ部１０４を制御する。この場合、ＬＤ１の光出力パワーはｆ１［Ｈｚ］で変化し、ＬＤ１の後方から出射する光パワーを検出するＰＤ１（１１２）の検出信号もｆ１［Ｈｚ］で変化する。
【００７７】
同様にＬＤ２，ＬＤ３，ＬＤ４（１１１）は、それぞれｆ２［Ｈｚ］，ｆ３［Ｈｚ］，ｆ４［Ｈｚ］のディザ信号で振幅変調させると、各ＬＤの後方の光パワーを検出するＰＤ２，ＰＤ３，ＰＤ４の検出信号はｆ２，ｆ３，ｆ４［Ｈｚ］で変化する。
【００７８】
例えば、図１７（ａ）のＰＤ１で説明すると、ＰＤ１（１１２）は、ＬＤ１（１１１）の後方の信号成分Ｓと、他のＬＤ２〜ＬＤ４（１１１）からの漏話成分Ｃを受光する。なお、漏話成分Ｃは信号成分Ｓよりもレベルが小さいため、ｆ１の信号成分Ｓが最も大きく、ｆ２，ｆ３，ｆ４の漏話成分Ｃはレベルが小さい。
【００７９】
ＰＤ２〜ＰＤ４（１１２）で受光されるモニタ信号についても図１７（ｂ）〜（ｄ）にそれぞれ示すように、信号成分Ｓと漏話成分Ｃを含む。
【００８０】
各ＰＤ１〜ＰＤ４（１１２）の検出信号は、後段の周波数解析部１０２に入力される。以下、ＰＤ１（１１２）に注目して説明する。
【００８１】
図１８は、実施の形態２にかかる光送信器の周波数解析部の内部構成例を示す図である。周波数解析部１０２は、ＰＤ１（１１２）からの出力信号を複製し、電気的なフィルタ１８０１を通過する経路（経路２〜５）と、フィルタ１８０１を通過しない経路（経路１）とに分岐する。フィルタ１８０１は、ディザ信号の各周波数ｆ１〜ｆ４に対応する４つのＦｉｌ１（１８０１ａ）〜Ｆｉｌ４（１８０１ｄ）を含む。なお、他のＰＤ２〜ＰＤ４（１１２）についても図１８と同様の構成のフィルタ１８０１（１８０１ａ〜１８０１ｄ）がそれぞれ設けられる。
【００８２】
このフィルタ１８０１は、アナログフィルタ、またはデジタルフィルタのいずれでもよく、デジタルフィルタの場合には、フィルタ１８０１を制御部１０３（例えばＣＰＵ）の一部機能とすることができる。
【００８３】
図１９は、実施の形態２にかかる光送信器の周波数解析部のフィルタ周波数を示す図である。横軸は周波数、縦軸はレベル（Ｇａｉｎ）である。フィルタ１８０１（１８０１ａ〜１８０１ｄ）は、バンドパスフィルタなどの周波数フィルタで構成し、Ｆｉｌ１はｆ１［Ｈｚ］、Ｆｉｌ２はｆ２［Ｈｚ］、Ｆｉｌ３はｆ３［Ｈｚ］、Ｆｉｌ４はｆ４［Ｈｚ］を抽出（通過）する。
【００８４】
図２０は、実施の形態２にかかる光送信器の周波数解析部のフィルタ通過後の検出信号を示す図である。経路（２〜５）を通過後の検出信号は、ＤＣ成分が除去され、ＬＤ１〜ＬＤ４（１１１）の各ディザ信号の周波数ｆ１〜ｆ４が抽出される。
【００８５】
ＰＤ１（１１２）の検出信号について、経路（２）のフィルタ１８０１ａ（Ｆｉｌ１）を通過することで、ＬＤ１（１１１）のｆ１［Ｈｚ］の周波数成分が取り出される（漏話成分Ｃが除去される）。また、経路（３）のフィルタ１８０１ｂ（Ｆｉｌ２）を通過することで、ＬＤ２（１１１）のｆ２［Ｈｚ］の周波数成分（漏話成分Ｃ）が取り出される。同様に、経路（４）ではフィルタ１８０１ｃ（Ｆｉｌ３）により、ＬＤ３（１１１）のｆ３［Ｈｚ］の周波数成分（漏話成分Ｃ）が取り出される。経路（５）ではフィルタ１８０１ｄ（Ｆｉｌ４）により、ＬＤ４（１１１）のｆ４［Ｈｚ］の周波数成分（漏話成分Ｃ）が取り出される。
【００８６】
上記周波数解析部１０２の各経路（１）〜（５）を通過した検出信号は、制御部１０３に入力される。制御部１０３には、検出信号をＡＤ変換するＡＤＣが設けられる。一つのＰＤ（１１２）あたり５つの経路（経路１〜５）に対応して５つのＡＤＣを設け、４つのＰＤ１〜ＰＤ４（１１１）の場合、合計２０個のＡＤＣを設ける。
【００８７】
制御部１０３は、入力される検出信号に基づき、信号成分Ｓに対する漏話成分Ｃの割合Ｒを求め演算を行う。そして、演算結果を用いて、各ＬＤ１〜ＬＤ４の光パワーモニタ、およびＬＤ−ＤＲＶ部１０４を介してＡＰＣ制御を行う。
【００８８】
（漏話成分除去の動作処理例）
次に、実施の形態２の上記構成により信号成分Ｓから漏話成分Ｃを除去する動作処理例について説明する。制御部１０３が行う設定処理と漏話成分の除去処理についてそれぞれ説明する。
【００８９】
図２１は、実施の形態２にかかる光送信器の設定処理例を示すフローチャートである。制御部１０３は、ＬＤ−ＤＲＶ部１０４の動作の初期値を設定する。
【００９０】
はじめに、制御部１０３は、ＬＤ１〜ＬＤ４（１１１）のバイアス電流値Ｉｂ１〜Ｉｂ４をそれぞれ設定する（ステップＳ２１０１）。また、制御部１０３は、ディザ信号Ｉｄ（ｆ）を設定する（ステップＳ２１０２）。ｆはディザ周波数［Ｈｚ］、Ｉｄはディザ振幅［ｍＡ］である。ここで、ディザ信号の周波数は、ＬＤ１〜ＬＤ４でそれぞれ異なり、ＬＤ１をｆ１、ＬＤ２をｆ２、ＬＤ３をｆ３、ＬＤ４をｆ４に設定する。
【００９１】
そして、制御部１０３は、上記ステップＳ２１０１，ステップＳ２１０２の各設定値に基づき、ＬＤ−ＤＲＶ部１０４を制御する（ステップＳ２１０３）。この際、ＬＤ１〜ＬＤ４（１１１）は、それぞれのバイアス点が周波数ｆ１〜ｆ４でゆらぐバイアス信号で駆動され、ＰＤ１〜ＰＤ４（１１２）は、この周波数ｆ１〜ｆ４でゆらぐ光パワーを受光する（図１７参照）。
【００９２】
図２２は、実施の形態２にかかる光送信器の設定処理に基づく各ＬＤのディザ信号の設定例を示す図表である。図２１のステップＳ２１０２により制御部１０３がＬＤ−ＤＲＶ部１０４を介してＬＤ１〜ＬＤ４（１１１）に出力するディザ信号の周波数ｆと振幅を示す。例えば、ＬＤ１（１１１）は、ディザ信号の周波数をｆ１、振幅をＩｄ（ｆ１）とする。
【００９３】
図２３は、実施の形態２にかかる光送信器の設定処理に基づく各ＬＤの電流値の例を示す図表である。図２１のステップＳ２１０３により制御部１０３がＬＤ−ＤＲＶ部１０４を制御する際のＬＤ１〜ＬＤ４（１１１）の電流値の例を示す。例えば、ＬＤ１（１１１）には、Ｉｂ１＋Ｉｄ（ｆ１）の電流を供給する。
【００９４】
図２４は、実施の形態２にかかる光送信器の漏話成分の除去の処理例を示すフローチャートである。制御部１０３は、図２１に示す設定処理の実行後に、図２４に示す処理を実行する。図２４を用いて、ＰＤ１（１１２）に対する処理例について説明する。
【００９５】
はじめに、制御部１０３は、各経路（１）〜（４）を通過後のＰＤ１（１１２）の出力信号についてそれぞれ二乗平均値を計算する（ステップＳ２４０１）。次に、制御部１０３は、ＰＤ１（１１２）について、ステップＳ２４０１で得た計算値を用いて信号成分Ｓに対する漏話成分Ｃの割合Ｒ１を演算する（ステップＳ２４０２）。
【００９６】
この後、制御部１０３は、ステップＳ２４０１とステップＳ２４０２でそれぞれ得た計算値を用いて漏話成分Ｃの影響を取り除いた信号成分Ｓ（真のモニタ値）を演算する（ステップＳ２４０３）。最後に、制御部１０３は、ステップＳ２４０３で得た信号成分Ｓ（真のモニタ値）を用いて、ＬＤ１（１１１）の送信（ＴＸ）パワーモニタ、およびＡＰＣの制御を実行する（ステップＳ２４０４）。
【００９７】
上記処理では、ＰＤ１（１１２）の検出信号に対して、漏話成分Ｃの影響を取り除いた信号成分Ｓ（真のモニタ値）を演算する処理例を説明したが、他のＰＤ２〜ＰＤ４についても同様の処理を行う。これにより、ＰＤ２〜ＰＤ４（１１１）の検出信号に対して、漏話成分Ｃの影響を取り除いた信号成分Ｓ（真のモニタ値）を演算により求めることができる。そして、制御部１０３は、信号成分Ｓ（真のモニタ値）を用いて、ＬＤ２〜ＬＤ４（１１１）に対するそれぞれの送信（ＴＸ）パワーモニタ、およびＡＰＣの制御を漏話成分の影響を受けずに実行することができる。
【００９８】
図２５は、実施の形態２にかかる光送信器の漏話成分除去の処理中の情報例を説明する図である。制御部１０３による計算値（演算値）を格納するメモリ部７０３の内容に相当する。
【００９９】
図２４のステップＳ２４０１により計算された各経路（１）〜（５）を通過後のＰＤ１（１１２）の出力信号の二乗平均値である。経路（１）の二乗平均値はＰＤ１、経路（２）の二乗平均値はＰＤ１＿ＬＤ１、経路（３）の二乗平均値はＰＤ１＿ＬＤ２、経路（４）の二乗平均値はＰＤ１＿ＬＤ３、経路（５）の二乗平均値はＰＤ１＿ＬＤ４、としてそれぞれメモリ部７０３に格納される。
【０１００】
この後、図２４のステップＳ２４０２では、制御部１０３は、ステップＳ２４０１で求めた経路（２）〜（５）の各計算値を用い、ＰＤ１の信号成分Ｓに対する漏話成分Ｃの割合Ｒ１を下記式により求め、メモリ部７０３に格納する。
【０１０１】
Ｒ１＝｛ＰＤ１＿ＬＤ２＋ＰＤ１＿ＬＤ３＋ＰＤ１＿ＬＤ４｝／ＰＤ１＿ＬＤ１
【０１０２】
この後、図２４のステップＳ２４０３では、制御部１０３は、ステップＳ２４０１とステップＳ２４０２で求めた計算値を用い、漏話成分Ｃの影響を取り除いた信号成分Ｓ（真のモニタ値）を下記式により求め、メモリ部７０３に格納する。
【０１０３】
周波数解析部１０２で経路（１）を通過した信号はＰＤ１（１１２）の検出信号そのものであり、信号成分Ｓ（ＬＤ１のバックパワー）と、漏話成分Ｃ（ＬＤ２〜ＬＤ４のバックパワー）の両方が含まれている。
【０１０４】
この経路（１）を通過後の二乗平均値はＰＤ１であり、信号成分Ｓに対する漏話成分Ｃの割合はＲ１であるため、ＰＤ１とＲ１の積ＰＤ１×Ｒ１がＰＤ１（１１２）で受光された漏話成分Ｃである。したがって、制御部１０３は、ＰＤ１からＰＤ１×Ｒ１を減算した、ＰＤ１（１−Ｒ１）を演算することで、真のモニタ値（信号成分Ｓ）を得る。
【０１０５】
そして、制御部１０３は、ＬＤ１（１１１）について、ＰＤ１（１１２）を用いて行う光出力（ＴＸ）パワーモニタや、ＬＤ１（１１１）のＡＰＣ制御を行う際に、このＰＤ１×（１−Ｒ１）の値を用いる。これにより、制御部１０３は、漏話の影響を受けない状態に相当する光出力パワーモニタ、およびＡＰＣ制御が行える。
【０１０６】
なお、ＰＤ２〜ＰＤ４の漏話成分Ｃの割合Ｒ２〜Ｒ４についても同様の演算により求めることができ、他のＰＤ２〜ＰＤ４についてもＲ２〜Ｒ４の値に基づき真のモニタ値を演算により求めることができる。そして、ＰＤ２〜ＰＤ４（１１２）を用いて行う光出力（ＴＸ）パワーモニタや、ＬＤ２〜ＬＤ４（１１１）のＡＰＣ制御を漏話の影響を受けずに行えるようになる。
【０１０７】
以上説明した実施の形態２によれば、実施の形態１同様に送信信号の周波数とは異なるディザ信号を複数のＬＤに出力し、各ＰＤで検出した信号成分から漏話成分を除去することで、漏話の影響を受けずに光出力パワーモニタ、およびＡＰＣ制御を行う。
【０１０８】
実施の形態２では、各ＬＤ毎に異なる周波数ｆ１〜ｆ４のディザ信号を出力し、ＰＤ出力を分岐させて各周波数に対応したフィルタを介して漏話成分を抽出する。そして、各経路の出力信号を用いて漏話成分の割合を求めることで、信号成分から漏話成分を除去している。この際、各経路の出力信号の二乗平均値を演算することで時間的に変化する検出信号の漏話成分を抽出しやすくなる。
【０１０９】
そして、実施の形態２では、異なる周波数のディザ信号を各ＬＤに出力するため、各ＬＤの漏話成分を同時に求めることができる。なお、実施の形態１と比較してＬＤの数に対応して異なる周波数のディザ信号を生成する必要があり、また、フィルタとＡＤＣの個数が増えるが、周波数解析部のスイッチを不要にできる。
【０１１０】
実施の形態１では、ＬＤの個数に対応した異なる周波数のディザ信号を用い、実施の形態２では、単一周波数のディザ信号を時分割に各ＬＤに個別に出力している。そして、いずれの実施の形態においても、ＰＤ出力を分岐させて各周波数に対応したフィルタを介して漏話成分を抽出し、各経路の出力信号を用いて漏話成分の割合を求めることで、信号成分から漏話成分を除去する。
【０１１１】
以上説明した各実施の形態によれば、送信信号の周波数とは異なるディザ信号を複数のＬＤに出力し、各ＰＤでは、複数のＬＤから受光した漏話成分の割合を求めることで、信号成分から漏話成分を除去する演算を行う。これにより、漏話の影響を受けずに光出力パワーモニタを正確に行うことができ、また、ＡＰＣ制御を正確に行うことができるようになる。
【０１１２】
各ＰＤが受光する漏話成分は一定量ではなく、ＬＤ駆動の温度環境の変化等により刻々変化するが、上記演算を行う毎に漏話成分の量を求めることができ、信号成分から漏話成分を除去できる。これにより、時間変化に伴い漏話成分が変化しても、漏話成分を正確に求めることができ、この漏話成分を除去できる。
【０１１３】
また、各実施の形態で用いるディザ信号は、複数のＬＤに供給するバイアス電流を振幅変調したものであり、光信号の周波数（２５Ｇｂｐｓ）に対して低周波数である。このため、光送信器の運用中であっても、ディザ信号を各ＬＤに供給して漏話成分を除去する演算を行うことができる。
【０１１４】
ＬＤ−ＤＲＶ部１０４は、送信信号を高周波で変調処理する変調部と、バイアス電流を生成する駆動部とをそれぞれ別のチップ部品として備え、変調部と駆動部とが並行動作する。これにより、光送信器として送信信号を光信号として送信する運用中に、実施の形態１の制御処理（図８，図１０）、あるいは実施の形態２の制御処理（図２１，図２４）を平行して実行できる。これにより、求めた漏話成分に基づき、直ちに送信中の光信号に対するパワーモニタとＡＰＣ制御に適用できる。
【０１１５】
以上のように、各実施の形態によれば、ＴＯＳＡ等小型の光送信器の筐体内部に複数のＬＤを配置する場合でも、仕切りや開口、レンズ等を設置せずとも、電気的演算により他のＬＤからの漏話成分を除去できる。これにより、複数のＬＤが配置される高速なＴＯＳＡおよび光送信器を簡単な構成で低コストに小型化できるとともに、小型化しても漏話の影響を受けずに光パワーモニタやＡＰＣ制御を行うことができるようになる。
【０１１６】
上述した実施の形態に関し、さらに以下の付記を開示する。
【０１１７】
（付記１）前方に光信号を出射する複数のレーザダイオードが隣接配置され、前記各光信号のパワーが制御される光送信器において、
前記各レーザダイオードの後方から出射される光信号の光パワーを検出する複数の受光素子と、
前記複数のレーザダイオードに、前記レーザダイオードの駆動信号の周波数と異なる所定周波数に振幅変調されたバイアス電流を供給するＬＤ駆動部と、
前記各受光素子の検出信号を、検出すべき対象の該レーザダイオードから受光する対象光信号成分と他のレーザダイオードから受光する漏話光信号成分とにそれぞれ分離する解析部と、
前記対象光信号成分に対する前記漏話光信号成分の割合を、前記検出信号ごとに演算し、
前記割合に基づいて、前記検出信号から前記漏話光信号成分を除去する演算を行う制御部と、
を備えたことを特徴とする光送信器。
【０１１８】
（付記２）前記ＬＤ駆動部は、前記バイアス電流を単一周波数で振幅変調し、
前記解析部は、複数の前記受光素子の検出信号の中から所定の検出信号を選択して入力するスイッチと、入力される前記検出信号からＤＣ成分を除き、ＡＣ成分を抽出するフィルタを有し、
前記制御部は、
前記ＬＤ駆動部を介して複数の前記レーザダイオードに対し、前記振幅変調した前記バイアス電流を時分割に供給させ、
前記バイアス電流を供給する時分割のタイミングに同期して、前記スイッチを切り替え、
前記解析部を通過した複数の前記検出信号を時分割に取り込み、前記演算を行うこと、
を特徴とする付記１に記載の光送信器。
【０１１９】
（付記３）前記ＬＤ駆動部は、前記各レーザダイオードに、それぞれ異なる周波数で振幅変調した前記バイアス電流を供給すること、
を特徴とする付記１に記載の光送信器。
【０１２０】
（付記４）前記制御部は、
前記解析部の前記フィルタを通過した経路の前記検出信号と、前記フィルタを通過しない経路の前記検出信号とに基づき、前記信号成分に対する前記漏話成分の割合を演算すること、
を特徴とする付記２または３に記載の光送信器。
【０１２１】
（付記５）前記制御部は、
前記解析部の前記フィルタを通過した経路の前記検出信号と、前記フィルタを通過しない経路の前記検出信号と、に対しそれぞれ二乗平均値を演算した後、前記信号成分に対する前記漏話成分の割合を演算すること、
を特徴とする付記２または３に記載の光送信器。
【０１２２】
（付記６）前記解析部の前記フィルタは、アナログフィルタ、またはデジタルフィルタであることを特徴とする付記２〜５のいずれか一つに記載の光送信器。
【０１２３】
（付記７）複数の前記レーザダイオードと、複数の前記受光素子は、光送信用サブアセンブリの筐体内に配置されたことを特徴とする付記１〜６のいずれか一つに記載の光送信器。
【０１２４】
（付記８）複数の前記レーザダイオードが出射する前記光信号を合波し、光伝送路に出力する光合波器を有すること、
を特徴とする付記１〜７のいずれか一つに記載の光送信器。
【０１２５】
（付記９）前方に光信号を出射する複数のレーザダイオードが隣接配置され、前記各レーザダイオードの後方から出射される光パワーを複数の受光素子でそれぞれ検出し、前記検出された結果に基づいて前記光信号のパワーを制御する光送信器の制御方法において、
前記各レーザダイオードに、前記レーザダイオードの駆動信号の周波数と異なる所定周波数に振幅変調されたバイアス電流を供給し、
前記各受光素子の検出信号を、検出すべき対象の該レーザダイオードから受光する対象光信号成分と他のレーザダイオードから受光する漏話光信号成分とにそれぞれ分離し、
前記検出信号の前記対象光信号成分に対する前記漏話光信号成分の割合を、前記検出信号ごとに演算し、
前記割合に基づいて、前記検出信号から前記漏話光信号成分を除去する演算を行う、
ことを特徴とする制御方法。
【符号の説明】
【０１２６】
１００  光送信器
１０１  ＴＯＳＡ
１０２  周波数解析部
１０３  制御部
１０４  ＬＤ−ＤＲＶ部（ＬＤ駆動部）
１１１  ＬＤ（ＬＤ１〜ＬＤ４）
１１２  ＰＤ（ＰＤ１〜ＰＤ４）
１１３  光合波器
３０１  スイッチ
３０２，１８０１（１８０１ａ〜１８０１ｄ）  フィルタ
７０１  クロック生成部
７０２  演算部
７０３  メモリ部
７０４  ＩＯ部
【図１】
0006572659.tif 000002
【図２】
0006572659.tif 000003
【図３】
0006572659.tif 000004
【図４】
0006572659.tif 000005
【図５】
0006572659.tif 000006
【図６】
0006572659.tif 000007
【図７】
0006572659.tif 000008
【図８】
0006572659.tif 000009
【図９】
0006572659.tif 000010
【図１０】
0006572659.tif 000011
【図１１】
0006572659.tif 000012
【図１２】
0006572659.tif 000013
【図１３】
0006572659.tif 000014
【図１４】
0006572659.tif 000015
【図１５】
0006572659.tif 000016
【図１６】
0006572659.tif 000017
【図１７】
0006572659.tif 000018
【図１８】
0006572659.tif 000019
【図１９】
0006572659.tif 000020
【図２０】
0006572659.tif 000021
【図２１】
0006572659.tif 000022
【図２２】
0006572659.tif 000023
【図２３】
0006572659.tif 000024
【図２４】
0006572659.tif 000025
【図２５】
0006572659.tif 000026